(57)【要約】 【課題】  バスダクト接続部の大型化を抑制し、かつバスダクト内の温度上昇を抑制して設置の容易化を図りつつバスダクト幹線全体の防水を図ることのできる垂直布設のバスダクト幹線防水構造を提供すること。【解決手段】  バスダクト幹線が垂直方向に布設されてなる垂直布設バスダクト幹線の防水構造において、バスダクトユニット１０の接続部の上部近傍位置のハウジングに固定され、ハウジングの周囲外方に突出するフランジ部４０と、フランジ部４０より下方位置で上記接続部領域の全周を覆う接続部カバー部６０と、接続部領域以外の領域のハウジングの伸長方向に伸びる接合部の存在する部分を覆う接合部カバー部材５０と、を備えている。これにより、接続部の防水構造の外形状の小型化、部品点数の減少、熱放散性の向上等を図ることができる。【選択図】  図１
2006115632.tif 000002
【特許請求の範囲】
【請求項１】
複数の部材をその伸長方向に接合部が形成されるように接合して構成されたハウジング内に導体を収納してなるバスダクトユニットがそれらの端部で順次接続されてバスダクト幹線が構成され、該バスダクト幹線が垂直方向に布設されてなる垂直布設バスダクト幹線の防水構造において、
前記バスダクトユニットの接続部の上部近傍位置で該バスダクトユニットのハウジングに固定され、該ハウジングの周囲外方に突出するフランジ部と、
該フランジ部より下方位置で前記接続部領域の全周を覆う接続部カバー部と、
前記接続部領域以外の領域のバスダクトユニットのハウジングの前記伸長方向に伸びる接合部の存在する部分を覆う接合部カバー部材と、
を備えることを特徴とする垂直布設のバスダクト幹線防水構造。
【請求項２】
前記フランジ部は、
前記ハウジングから外方へ略水平に突出するフランジ面と、該フランジ面の一端縁から装着状態における上方に延設された上方突出片とを含み、
前記フランジ部のハウジングへの装着は、
前記上方突出片がハウジング外面に当接され、その上に前記接合部カバー部材が重ねられた状態で行われることを特徴とする請求項１に記載の垂直布設のバスダクト幹線防水構造。
【請求項３】
前記フランジ部は、
前記ハウジングから外方へ略水平に突出するフランジ面と、該フランジ面の一端縁から装着状態における下方に延設された下方突出片とを含み、
前記フランジ部のハウジングへの装着は、
前記下方突出片がハウジング外面に当接された状態で行われることを特徴とする請求項１に記載の垂直布設のバスダクト幹線防水構造。
【請求項４】
前記フランジ部は、
前記バスダクトユニットの幅方向両端部に設けられる側面フランジ部材と、
前記バスダクトユニットの厚さ方向両端部に設けられる正面フランジ部材、背面フランジ部材と、から成り、
前記側面フランジ部材は、ハウジングから外方へ略水平に突出するフランジ面と、該フランジ面の一端縁から装着状態における上方に延設された上方突出片とを含み、
前記側面フランジ部材の前記ハウジングへの装着は、前記上方突出片がハウジング外面に当接され 、その上に前記接合部カバー部材が重ねられた状態で行われ、
前記正面フランジ部材及び背面フランジ部材は、
前記ハウジングから外方へ略水平に突出するフランジ面と、該フランジ面の一端縁から装着状態における下方に延設された下方突出片とを含み、
前記正面フランジ部材及び背面フランジ部材のハウジングへの装着は、
前記下方突出片がハウジング外面に当接された状態で行われることを特徴とする請求項１に記載の垂直布設のバスダクト幹線防水構造。
【請求項５】
前記接続部カバー部は、
複数のカバー部材を結合してなり、該結合部は、設置された該接続部カバー部が構成するカバー空間よりも外方に設けられると共に、該複数のカバー部材の前記フランジ部への結合部も前記カバー空間より外方に設けられたことを特徴とする請求項１から４の何れかに記載の垂直布設のバスダクト幹線防水構造。
【発明の詳細な説明】
【技術分野】
【０００１】
導体をハウジングに収納してなるバスダクトユニットが端部接続部にて順次接続されて構成されたバスダクト幹線を垂直方向に布設した垂直布設のバスダクト幹線の防水構造に関する。
【背景技術】
【０００２】
例えば、従来の垂直布設のバスダクト幹線防水構造として、特許文献１には、屋外用垂直布設バスダクト装置が開示されている。これは順次垂直に接続布設したバスダクトについて、その各単位長さのバスダクトの外周にそのバスダクト単位長さより所要長さ短い筒状の雨覆体（１）を接続部を露出させた状態で設置して包覆し、前記露出した接続部（無包覆部（４））の外周には各雨覆体の外周を上下スライド可能で、かつ雨覆体の上下対向離間距離より長い筒状形の接続カバー（５）を設けている。そして、その接続カバー（５）は、上側の雨覆体の下端部内側でかつ下側雨覆体の上端部外側に夫々着脱可能に重複連結して覆設される構成を有している。
【０００３】
【特許文献１】特公昭５８−８６４６号
【発明の開示】
【発明が解決しようとする課題】
【０００４】
しかしながら、特許文献１の垂直布設のバスダクト幹線防水構造に関する技術では、バスダクトユニット全体が、４方向全てにわたって雨覆体により被覆されているため、コストアップとなると共に熱がこもることとなる。すなわち、導体を収納したハウジングにより放熱が行われるが、更にその外側を四方から雨覆体が覆っているので熱がこもり放熱が不十分となり導体の温度が上昇する。更に、上記のようにバスダクトユニットの接続部の領域は雨覆体が複数重なる状況も生じ、温度上昇をより高めていた。この様に導体の温度が上昇すると、絶縁物の劣化が激しくなることからこの様に全体を雨覆体で覆うような場合には、バスダクト自体の導体サイズを上げなければならないという不具合も生じていた。
【０００５】
また、接続部に設けられる接続カバーに関しては、バスダクトから一定距離離間した状態で、雨覆体自体に固定されることから、通常でも大型化する接続部が更に大型化してしまうという不具合も生じてくる。
【０００６】
本発明は上記のような不具合を解消するためになされたものであり、その目的は、接続部の大型化をできる限り抑制し、かつバスダクト内の温度上昇を抑制して設置の容易化を図りつつバスダクト幹線全体の防水を図ることのできる垂直布設のバスダクト幹線防水構造を提供することにある。
【課題を解決するための手段】
【０００７】
上記目的を達成するため、請求項１にかかる垂直布設のバスダクト幹線防水構造は、
複数の部材をその伸長方向に接合部が形成されるように接合して構成されたハウジング内に導体を収納してなるバスダクトユニットがそれらの端部で順次接続されてバスダクト幹線が構成され、該バスダクト幹線が垂直方向に布設されてなる垂直布設バスダクト幹線の防水構造において、前記バスダクトユニットの接続部の上部近傍位置で該バスダクトユニットのハウジングに固定され、該ハウジングの周囲外方に突出するフランジ部と、該フランジ部より下方位置で前記接続部領域の全周を覆う接続部カバー部と、前記接続部領域以外の領域のバスダクトユニットのハウジングの前記伸長方向に伸びる接合部の存在する部分を覆う接合部カバー部材と、を備えている。
【０００８】
これにより、バスダクトユニットの接続部の防水構造の外形状の小型化、部品点数の減少、すなわち、接続部でのカバー部の多重状態が解消され、更に、接続部の領域以外の領域は、ハウジング接合部の存在する側面の接合部カバー部材のみが設置されるので。防水性を低下させることなく熱放散性の向上やコストダウンを図ることができる。したがって、複数系統並設して布設する際のスペース縮小や温度上昇に対応するための導体サイズの変更を行う必要がなくなる。
【０００９】
請求項２に係る垂直布設のバスダクト幹線防水構造によれば、
前記フランジ部は、前記ハウジングから外方へ略水平に突出するフランジ面と、該フランジ面の一端縁から装着状態における上方に延設された上方突出片とを含み、前記フランジ部のハウジングへの装着は、前記上方突出片がハウジング外面に当接され、その上に前記接合部カバー部材が重ねられた状態で行われる。
【００１０】
これにより、接合部カバー部材が上から重ねられた状態となるフランジ部の内側には水などの侵入のおそれがなくなる。
【００１１】
請求項３に係る垂直布設のバスダクト幹線防水構造によれば、
前記フランジ部は、前記ハウジングから外方へ略水平に突出するフランジ面と、該フランジ面の一端縁から装着状態における下方に延設された下方突出片とを含み、前記フランジ部のハウジングへの装着は、前記下方突出片がハウジング外面に当接された状態で行われている。この構造により、フランジ部のフランジ面の下方位置でハウジングへの装着が行われるので、装着箇所がカバーされ、水や塵埃の侵入防止が図られる。
【００１２】
請求項４に係る垂直布設のバスダクト幹線防水構造によれば、
前記フランジ部は、前記バスダクトユニットの幅方向両端部に設けられる側面フランジ部材と、前記バスダクトユニットの厚さ方向両端部に設けられる正面フランジ部材、背面フランジ部材と、から成り、前記側面フランジ部材は、ハウジングから外方へ略水平に突出するフランジ面と、該フランジ面の一端縁から装着状態における上方に延設された上方突出片とを含み、前記側面フランジ部材の前記ハウジングへの装着は、前記上方突出片がハウジング外面に当接され 、その上に前記接合部カバー部材が重ねられた状態で行われ、前記正面フランジ部材及び背面フランジ部材は、前記ハウジングから外方へ略水平に突出するフランジ面と、該フランジ面の一端縁から装着状態における下方に延設された下方突出片とを含み、前記正面フランジ部材及び背面フランジ部材のハウジングへの装着は、前記下方突出片がハウジング外面に当接された状態で行われている。
【００１３】
フランジ部が、側面フランジ部材と、前記正面フランジ部材及び背面フランジ部材とから構成され、それぞれ、ハウジング内への水等の侵入を確実に防止できる構成で装着されている。
【００１４】
請求項５に係る垂直布設のバスダクト幹線防水構造によれば、
前記接続部カバー部は、複数のカバー部材を結合してなり、該結合部は、設置された該接続部カバー部が構成するカバー空間よりも外方に設けられると共に、該複数のカバー部材の前記フランジ部への結合部も前記カバー空間より外方に設けられている。これにより、フランジ部の下方位置にあるバスダクトユニットの接続部の周囲は、複数のカバー部材によりカバーされ、また、それら複数のカバー部材の結合位置が接続部カバー部の構成するカバー空間への水等の侵入の生じない位置とされているので、シンプルな構造でありながら確実な防水機能を発揮する。
【発明の効果】
【００１５】
本発明の垂直布設のバスダクト幹線防水構造によれば、外形状の小型化、部品点数の減少によるコストダウン、更に、熱放散性の向上を図ることができ、複数系統並設して布設する際のスペース縮小や温度上昇に対応するための導体サイズの変更を行う必要がなくなり、屋外における垂直布設のバスダクト幹線の効率的な防水機構による設置の容易化が図られている。
【発明を実施するための最良の形態】
【００１６】
以下、本発明の垂直布設のバスダクト幹線防水構造に関する具体的な実施形態について、図面に沿って詳細に説明する。まず、図８は本実施形態が施設される対象であるバスダクトユニット１０の構造を説明する説明図であり、図９に示したように４つのパーツを結合して構成されている。すなわち、ハウジング半体１０−１、バスダクト半体１０−２とこれらの両端間に挟まれて、導体収納空間を形成するスペーサ１０−３，１０−４にて構成されている。ハウジング半体１０−１，１０−２は、導体を挟む基面１０ａと、この基面１０ａの幅方向両端縁に外方にほぼ直角に屈曲延設する第１補強部と、この第１補強部の端縁を更にほぼ直角に屈曲させた第２補強部とからなる断面略コ字形状の補強部１０ｂとからなっている。補強部１０ｂは、バスダクトユニット１０自体の強度を向上させるものである。
【００１７】
そして、図１に示したように、バスダクトユニット１０の内部には導体１２が収納されており、本実施の形態では、所定幅で伸長する平板状の３枚の導体１２が収納されている。この導体１２の平板形状に対応して、バスダクトユニット１０のハウジング形状も所定幅と所定厚さ（前記幅に対して約４分の１程度のサイズ）で伸長する形状とされている。
【００１８】
図１０（Ａ）、（Ｂ）は、上記の構成を有するバスダクトユニット１０がそれぞれの端部で接続されるための接続部２０の構成及び接続される両側のバスダクトユニット１０の端部構成が示されており、同図（Ａ）は正面側から見た図、同図（Ｂ）は右側面から見た図である。バスダクトユニット１０はこの接続部２０により順次接続され、その接続により形成されるバスダクト幹線が略垂直に布設されて垂直布設型のバスダクト幹線が完成する。
【００１９】
同図に示すように、バスダクトユニット１０は、絶縁被覆１４を施してなる３相の絶縁被覆導体１２が積層され、これら絶縁被覆導体１２の幅方向両側面にはスペーサ１０−３，１０−４が位置しており、絶縁被覆導体１２の厚さ方向両側方向からハウジング半体１０−１，１０−２で絶縁被覆導体１２及びスペーサ１０−３，１０−４を狭持するようにボルトナット１６等の締着具で緊締固定されている。
【００２０】
接続部２０は、両側のバスダクトユニット１０から突出する導体１２をそれぞれ隣設の導体との絶縁性を確保しつつ接続する接続ユニット２２とその部分の側面側（ハウジングの幅方向端部側）を覆う接続部カバー２４から構成されており、接続部の正面側は、接続ユニット２２の最外側に位置する接続継板２６にてカバーされる。接続部カバー２４は、バスダクトユニット１０の補強部１０ｂにビス３４等で固定することによりバスダクトユニット１０相互の接続がなされ、バスダクト幹線が形成される。
【００２１】
接続ユニット２２は、両側から対向する導体１２の端部が両側から差し込まれて対向するそれぞれの導体１２が接続されるように構成されており、直接、導体１２に接触する導電性接続部材２８と絶縁セパレータ３０が配置されて構成されている。最終的にこれらをボルトナット３２等からなる締着具で一括緊締するが、接続前にはこの締着具が仮締着状態となっている。
【００２２】
図１は、図１０に示したバスダクトユニット１０の接続の後にフランジ部４０を取りける構造を示す図であり、バスダクトユニット１０の接続部のやや上方位置にフランジ部４０が取り付けられる状態を示している。同図（Ａ）は、概略平面図、同図（Ｂ）は概略正面図、同図（Ｃ）は概略右側面図である。なお、同図（Ａ）において、バスダクトユニット１０のハウジング構成は厚さを省略して実線のみにて示している。
【００２３】
同図（Ｂ）及び（Ｃ）に示されているように、フランジ部４０の取り付け位置では、バスダクトユニット１０の補強部が除去された切り欠き部Ｘが形成されている。この部分に取り付けられるフランジ部４０は、バスダクトユニット１０の幅方向端部（図上、両側面部）と厚さ方向端部（図上、正面、背面部）とにそれぞれ１対配置される２対の部材から構成される。すなわち、幅方向端部の部材は側面フランジ部材４２−１、４２−２であり、厚さ方向端部の部材は、正面フランジ部材４４−１と背面フランジ部材４４−２である。
【００２４】
側面フランジ部材４２−１、４２−２は、バスダクトユニット１０の補強部１０ｂ及びスペーサ１０−３、１０−４の外側面１０ｃに当接される上方突出片４２ａと、この上方突出片４２ａからバスダクトユニット１０外方に略水平に突出するように屈曲形成されたフランジ面部４２ｂと、このフランジ面部４２ｂの外側端縁及び両側端縁から略垂直に下方に垂下するように屈曲形成された垂下片４２ｃから構成されている。なお、この構成の理解の容易化のために図２に、この側面フランジ部材４２−１、４２−２の斜視図を示している。なお、図中４２ｄは、後述する補強部への取付時にボルト等を挿通するための挿通穴である。
【００２５】
正面フランジ部材４４−１と背面フランジ部材４４−２は、バスダクトユニット１０のハウジングの基面１０ａに当接される下方突出片４４ａと、この下方突出片４４ａの上端部からバスダクトユニット１０外方に略水平に突出するように形成されたフランジ面部４４ｂと、このフランジ面部４４ｂの外側端縁から略垂直に下方に垂下するように垂下片４４ｃから構成されている。なお、この構成の理解の容易化のために図３に、この正面フランジ部材４４−１と背面フランジ部材４４−２の斜視図を示している。なお、正面フランジ部材４４−１及び背面フランジ部材４４−２の長さＬ１は、バスダクトユニット１０のハウジングの幅長よりも長く、ハウジングへの取付状態では、ハウジングの両端部に在る補強部１０ｂよりも外方に突出する状態となる。
【００２６】
図４は、バスダクトユニット１０へのフランジ部４０の取付状態を示しており、図示のように、正面フランジ部材４４−１及び背面フランジ部材４４−２は、下方突出片４４ａがハウジングの基面１０ａに当接されて取り付けられ、側面フランジ部材４２−１，４２−２がそれぞれ正面フランジ部材４４−１及び背面フランジ部材４４−２に被せられて設置され、接続部の上方位置に傘状のフランジ部が形成されていることが理解される。なお、正面フランジ部材４４−１及び背面フランジ部材４４−２の各下方突出片４４ａの長さＬ２は、ハウジングの切り欠き部Ｘのサイズにかかわらずハウジング基面１０ａに当接できるように両端の補強部１０ｂの端部間の間隔Ｌ３よりも短く形成されている。
【００２７】
上記構成のフランジ部４０の取付動作を具体的に述べると、図１に示すように、先ず正面フランジ部材４４−１、背面フランジ部材４４−２をバスダクトユニット１０のハウジングの基面１０ａに下方突出片４４ａを当接させ、リベット等で固着して設置する。この状態では、フランジ面部４４ｂはバスダクトユニット１０の補強部１０ｂより外側に突出する状態となる。次に、側面フランジ部材４２−１，４２−２を正面フランジ部材４４−１、背面フランジ部材４４のフランジ面を覆い、かつ上方突出片４２ａが補強部１０ｂとスペーサ１０−３，１０−４に当接されるように配置する。そして、正面フランジ部材４４−１、背面フランジ部材４４及び側面フランジ部材４２−１，４２−２のフランジ面の重なり部分でボルトナット（図６（Ａ）の符号１０２）等の締着具で固定される。
【００２８】
また、バスダクトユニット１０の幅方向両端面（両側端面）には断面略コ字形の接合部カバー部材５０−１，５０−２（本実施例では両側端面に有するので、以下、「側面カバー部材５０−１，５０−２」と称する）が全長に亘って固着されるが、側面フランジ部材４２−１，４２−２の上方突出片４２ａをバスダクトユニット１０の補強部１０ｂ及びスペーサ１０−３に当接して、更にその上面からこれら側面カバー部材５０−１，５０−２を被せて装着する。したがって、図１（Ａ）や（Ｂ）からも理解されるように、側面フランジ部材４２−１，４２−２の上方突出片４２ａは、補強部１０ｂ及びスペーサ１０−３と側面カバー部材５０−１，５０−２によって狭持された状態となる。
【００２９】
以上のように、側面フランジ部材４２−１，４２−２は、上方突出片４２ａがフランジ面４２ｂより上方に位置し、且つ側面カバー部材５０−１，５０−２の内面に位置して狭持されていることにより、バスダクトユニット１０内への水や塵埃等の侵入をより確実に防止することができる。一方、正面フランジ部材４４−１、背面フランジ部材４４−２は、フランジ面４４ｂより下方に位置する下方突出片４４ａをバスダクトユニット１０の基面１０ａに当接させた状態でリベット等で固着されているので、固着箇所はフランジ面４４ｂでカバーされた状態となり、水や塵埃等の侵入を防止することができる。この様に、バスダクトユニット１０の接続部の上方の位置には、側面フランジ部材４２−１，４２−２及び正面フランジ部材４４−１、背面フランジ部材４４−２によって「傘」が形成された状態となり、バスダクト接続部への雨や塵埃などの侵入が阻止効果を向上させている。
【００３０】
その後、図５に示すように、接続部の外周面を接続部カバー部であるカバー部材にて覆う動作が行われる。同図は、バスダクトユニット１０の接続部にカバー部材を取り付ける構造を示しており、同図（Ａ）は、概略平面図、同図（Ｂ）は概略正面図、同図（Ｃ）は概略右側面図である。なお、同図において、厚さの薄い部材については、厚さを省略して実線のみにて示している。
【００３１】
図示のように、取り付けられたフランジ部４０の下方に位置する接続部を覆う接続部カバー部６０は、バスダクトユニット１０の厚さ方向端部である正面、背面側に取り付けられる１対の第１カバー部材６２−１，６２−２、幅方向端部である両側面側に取り付けられる第２カバー部材６４−１，６４−２から構成されている。
【００３２】
第１カバー部材６２−１，６２−２は、バスダクトユニット１０の接続部の正面、背面を覆う基面６２ａ、この基面６２ａの上端を外方に屈曲延設してなる固定片６２ｂ、基面６２ａの両側端辺を外方に屈曲延設してなる側片６２ｃ、基面６２ａの下端を内方に屈曲延設してなる下端被覆片６２ｄからなっている。下端被覆片６２ｄはその両側端部に切欠部６２ｅが形成され、下端被覆片６２ｄの長さをバスダクトユニット１０の両端の補強部１０ｂの間隔よりも小さくして、取付状態で補強部１０ｂの内側まで下端被覆片６２ｄの先端が伸長し、下端側からの水や塵埃等の侵入を未然に防止している。
【００３３】
次に、第２カバー部材６４−１，６４−２は、接続部の側面側を覆う基面６４ａ、この基面６２ａの上端を外方に屈曲延設してなる固定片６４ｂ、基面６４ａの両側端辺を内方に屈曲延設してなる側片６４ｃ、基面６４ａの下端を内方に屈曲延設してなる下端被覆片６４ｄからなっている。取付状態において下端被覆片６４ｄの先端は、バスダクトユニット１０の補強部１０ｂ及びスペーサ１０−３，１０−４の外側に位置する側面カバー部材５０−１，５０−２の外側面に当接し、下端側からの水や塵埃等の侵入を未然に防止する構成となっている。
【００３４】
上記接続カバー部６０を構成する各部材は、フランジ部４０等にボルトナット１０４，１０５等の締着具で固定することにより取り付けられ、フランジ部４０の下方位置で筒状のカバー部として構成される。
【００３５】
各部材の取付は、先ず第１カバー部材６２−１，６２−２の固定片６２ｂと正面フランジ部材４４−１、背面フランジ部材４４−２のフランジ面とをボルトナット１０５等の締着具で固定し、その後第２カバー部材６４−１，６４−２の固定片６４ａと側面フランジ部材４２−１，４２−２のフランジ面４２ｂとをボルトナット１０４等の締着具で固定する。この際、第１カバー部材６２−１，６２−２の側片６２ｃの外面と、第２カバー部材６４−１，６４−２の基面６４ａの内面とが当接され、それぞれをボルトナット１０６等の締着具で固定することにより接続部側方からの水や塵埃等の侵入を防ぐようにしている。
【００３６】
以上のようにして取り付けられた第２カバー部材６４−１，６４−２のフランジ部４０との結合である固定片６４ｂは基面６４ａより外方に位置するため、すなわち、カバー部材にて構成されるカバー空間より外方に位置するのでボルトナットから伝わった水等の侵入はそのまま基面６４ａの外方を落下し、接続部カバー部６０内面への水の侵入を防止することができる。また、第１カバー部材６２−１，６２−２の固定片６２ｂも基面６２ａより外方に位置するため、ボルトナットから伝わった水等の侵入はそのまま基面６２ａ外方を落下するため、接続部カバー部６０内面への水の侵入を防止することができる。
【００３７】
更に、第１カバー部材６２−１，６２−２と第２カバー部材６４−１，６４−２の結合固定は、第１カバー部材６２−１，６２−２の基面６２ａより外方に位置する側片６２ｃの部分でボルトナット１０６等の締着具にて行われることから、ボルトナット等から伝わった水等の侵入はそのまま基面６２ａ外方を落下するため、接続カバー部６０内面への水の侵入を防止することができる。
【００３８】
以上のように、フランジ部４０と接続部カバー部６０、すなわち、各カバー部材６２−１，６２−２と６４−１，６４−２との相互のボルトナット等による結合が全て、基面６２ａ、６４ａの内面にて形成されるカバー空間の外側で行われることから、全てのボルトナット等から伝わった水等の侵入はそのままカバー空間の外方を落下し、接続部カバー部６０の内側への水の侵入を防止することできる。
【００３９】
図６は、上記構成の実施の形態にかかるバスダクト幹線防水構造が施された状態のバスダクト幹線の一部が示されている。図示のように、バスダクトユニット１０相互の接続部の上部位置にフランジ部４０が形成され、その下方領域、すなわち、バスダクトユニット１０の接続部領域は接続部カバー部６０にて四方から覆われている。そして、バスダクトユニット１０の接続部の領域以外の部分では、側面部、すなわち、幅方向端部のみが側面カバー部材５０−１，５０−２でカバーされている。これは、本実施の形態の適用されたバスダクトユニット１０が、側面部側で接合されているからであり、仮に、正面、背面側（厚さ方向端部）に接合部の存するバスダクトユニット１０が存在する場合には、この正面、背面側のみがカバー部材で覆われることとなる。
【００４０】
この様な構成により、水の侵入の可能性のあるバスダクトユニット１０相互の接続部には、フランジ部４０と筒状の接続部カバー部６０により、上方、四方及び下方を被覆し、その他の部分は側面部のみが側面カバー部材５０で覆われていることから、最低必要な部分のみで効果的に水等の侵入から守り、その他の部分は熱放散性の良好性が確保されるので、収納する導体のサイズの調整が不要であり、また、垂直布設のバスダクト幹線防水構造が小型、軽量化され、更にコストダウンも達成される。なお、接続部カバー部６０の下端はバスダクトハウジングと非固定状態で良いため、取付作業が容易となり、この点でもコストダウンにつながる。
【００４１】
また、図７は、フランジ部４０と接続部カバー部６０との結合の他の構成例を示しており、同図（Ａ）は側面フランジ部材４２−１と第２カバー部材６４−１との結合例、同図（Ｂ）は正面フランジ部材４４−１と第１カバー部材６２−１との結合例をそれぞれ示している。まず、同図（Ａ）では図示のように、第２カバー部材６４−１の固定片６４ｂの端部を更に下方に延設させてなる縁片６４ｅを形成し、この縁片６４ｅと側面フランジ部４２−１の垂下片４２ｃとを締着具２００で固定する構成を取っている。なお、縁片６４ｅの形成位置及び締結位置は、固定片６４ｂの突出側、側方側の何れであっても良い。
【００４２】
次に、同図（Ｂ）では図示のように、第１カバー部材６２−１の固定片６２ｂの端部を更に下方に延設させてなる縁片６２ｆを形成し、この縁片６２ｆと正面フランジ部材４４−１の垂下片４４ｃとを締着具３００で固定する構成を取っている。この様な構成の場合でも基面６２ａ、６４ａに囲まれたカバー空間よりも外方での固定がなされるので、接続部カバー部６０内への水や塵埃の侵入を防止することが可能である。また、側方からの結合動作となるため、結合作業も容易となる。
【００４３】
なお、本発明は上記実施例に限定されるものではなく、発明の要旨の範囲内で種々の変形が可能である。例えば、フランジ部４０や接続部カバー部６０は必ずしも４分割体に限定されるものではなく、３分割体以下或いは５分割体以上であっても良い。また、全ての締着具による結合箇所に関して、適宜箇所にパッキン等を挟んで結合する等の止水構造としても良く、より確実に水や塵埃の侵入を未然に防止することが可能となる。
【００４４】
また、バスダクトユニット１０の接続部上方に補強部１０ｂを切除した切り欠き部Ｘを設けたが、この構成に限定されるものではなく、フランジ部４０を補強部１０ｂの形状に合わせて構成すれば、必ずしも切り欠き部Ｘは必要ないが、切り欠き部Ｘを設けることにより、単純な形状のフランジ部４０（フランジ部４０の内面が長方形になる）を使用することができるため好適であると共に、切り欠き部Ｘによりフランジ部の位置決め効果を発揮することができ、確実に的確な位置でフランジ部４０及び接続部カバー部６０を形成することができる。
【図面の簡単な説明】
【００４５】
【図１】（Ａ）、（Ｂ）及び（Ｃ）は、それぞれバスダクト幹線へのフランジ部の取り付け構造を示す平面説明図、正面図及び右側面図である。
【図２】側面フランジ部材の構成を示す斜視図である。
【図３】正面フランジ部材及び背面フランジ部材の構成を示す斜視図である。
【図４】フランジ部の取り付けられた状態を示すバスダクトユニットの部分斜視図である。
【図５】（Ａ）、（Ｂ）及び（Ｃ）は、それぞれバスダクト幹線への接続部カバー部の取り付け構造を示す平面説明図、正面図及び右側面図である。
【図６】（Ａ）、（Ｂ）及び（Ｃ）は、本発明の実施の形態の施された外観状態を示す平面説明図、正面図及び右側面図である。
【図７】（Ａ）及び（Ｂ）は、フランジ部とカバー部の取り付け構造の他の構成例を示している。
【図８】本発明が適用されるバスダクトユニットの部分斜視図である。
【図９】本発明が適用されるバスダクトユニットの部分分解斜視図である。
【図１０】（Ａ）及び（Ｂ）は、バスダクトユニットの接続構造の一例を示す分解構成の正面図及び右側面図である。
【符号の説明】
【００４６】
１０  バスダクトユニット
４０  フランジ部
４２  側面フランジ部材
４２ａ  上方突出片
４４−１  正面フランジ部材
４４−２  背面フランジ部材
４４ａ  下方突出片
５０  側面カバー部材
６０  接続部カバー部
６２  第１カバー部材
６２ａ  基面
６４  第２カバー部材
６４ａ  基面
【図１】
2006115632.tif 000003
【図２】
2006115632.tif 000004
【図３】
2006115632.tif 000005
【図４】
2006115632.tif 000006
【図５】
2006115632.tif 000007
【図６】
2006115632.tif 000008
【図７】
2006115632.tif 000009
【図８】
2006115632.tif 000010
【図９】
2006115632.tif 000011
【図１０】
2006115632.tif 000012